(57)【要約】【課題】相互に絡みにくく、また、糸が抜けにくいモップ用コードを備えたモップを提供すること。【解決手段】複数の繊維を細紐状に束ねて構成される複数のマルチフィラメントのみを使用して組み紐状に編んでコード５を構成する。多数のコード５をモップベース布６に植設してモップ用クロス２を構成する。フレーム３には柄支持部材１２を介して柄４が取り付けられている。モップ用クロス２はモップベース布６上面の第１の貼着面９がフレーム３側の第２の貼着面１１に貼着されることでフレーム３に取り付けられている。【選択図】図１
0003198967.tif 000002
【実用新案登録請求の範囲】
【請求項１】
複数の繊維を細紐状に束ねて構成される複数のコード用繊条のみを使用して組み紐状に編んで構成されるモップ用コードと、
複数の前記モップ用コードが使用時に下側となる面に植設されることで拭き取り部が構成されたモップベース布と、
モップ用の柄が取り付けられるとともに、ベース布固定手段によって前記モップベース布が固定されるベース布支持部と、
を有することを特徴とするモップ。
【請求項２】
前記モップ用コードは使用時にＪ字状、Ｕ字状又はループ状のいずれかの形態で下垂するように植設されていることを特徴とする請求項１に記載のモップ。
【請求項３】
前記コード用繊条を構成する繊維は合成繊維であることを特徴とする請求項１又は２に記載のモップ。
【請求項４】
モップベース布は複層に構成されることを特徴とする請求項１〜３のいずれかに記載のモップ。
【考案の詳細な説明】
【技術分野】
【０００１】
本考案は掃除用のモップに関するものである。
【背景技術】
【０００２】
従来から、例えば特許文献１の図２に示すように単糸５２を束ねた複数の原糸５４に撚りをかけてモップ用コードとしての複合糸５６を構成するようにしている。複合糸５６はモップベース布としてのモップ用基布４に例えば縫い付けや打ち込み等によって植設されている。
【先行技術文献】
【特許文献】
【０００３】
【特許文献１】特開２００５−２７０６３０号公報
【考案の概要】
【考案が解決しようとする課題】
【０００４】
しかし、このような撚糸をベースとしたモップ用コードは、モップの使用に伴って徐々に撚りがほどけて繊維がばらけてしまい、その結果モップ用コード同士の繊維が絡んでしまう不具合が生じやすくなってしまう。また、一般にモップ用コードはその一部によってモップベース布に固定されているが、モップ用コードを構成する糸を引っ張ると特に撚糸が十分ではない場合では容易に脱落してしまう不具合が生じていた。
本考案は、このような従来の技術に存在する問題点に着目してなされたものである。その目的とするところは、相互に絡みにくく、また、糸が抜けにくいモップ用コードを備えたモップを提供することにある。
【課題を解決するための手段】
【０００５】
上記の目的を達成するために手段１では、複数の繊維を細紐状に束ねて構成される複数のコード用繊条のみを使用して組み紐状に編んで構成されるモップ用コードと、複数の前記モップ用コードが使用時に下側となる面に植設されることで拭き取り部が構成されたモップベース布と、モップ用の柄が取り付けられるとともに、ベース布固定手段によって前記モップベース布を固定するようにしたベース布支持部と、を有するようにしたことをその要旨とする。
【０００６】
上記のような構成であれば、モップ用コードがコード用繊条のみからなる組み紐で構成されるため、経年モップとして使用してもほどけにくく、モップ用コードの繊維同士が絡んでしまう不具合が従来に比べて生じにくくなる。また、モップ用コードが組み紐のみで構成されるため、モップ用コードを構成する糸を引っ張っても抜けにくくなっている。
ここに複数の繊維を細紐状に束ねてコード用繊条を構成する場合には複数の繊維に撚糸をかけてもかけなくともよい。また、組み紐に編むように束ねてもよい（つまり、各コード用繊条自体を組み紐状に編む）。
モップベース布は単層でも複層でもよい。複層の場合にはモップ用コードの一部が植設される層は外に露出しないことがよい。モップ用コードをモップベース布に植設する際には、例えばモップ用コードの一部を他の糸で縫い込んだり、接着剤を使用したり、あるいは布の製造同時にその糸の打ち込みと同時にモップ用コードを固定したりすることができる。
【０００７】
また、手段２では、前記モップ用コードは使用時にＪ字状、Ｕ字状又はループ状のいずれかの形態で下垂するように植設されていることをその要旨とする。
このように下垂させることで、Ｊ字状であれば掃除の仕方として強くこすって拭く部分は短く垂れた側で、汚れを含んだ水気を拭き取るのは長く垂れた側でと異なる機能を持たせることができる。また、Ｕ字状とすることで汚れを含んだ水気を吸い取る機能に特化しているため、特に水拭きでの掃除の場合に有利である。ループ状に下垂させた場合には特に強く擦って拭き取ることに適している。モップ用コードはＪ字状、Ｕ字状又はループ状のいずれか１つの形態でモップを構成しても、これらを混交させてもよい。
また、手段３では、前記コード用繊条を構成する繊維が合成繊維であることをその要旨とする。
このような構成とすることによって細い均一の太さの原糸を単位となる繊維として使用することができ、モップ用コードの太さが均質化する。また、綿糸の場合に比べて黴にくく、水切れがよい。合成繊維としては例えばポリエステル、ポリエチレン、ナイロンあるいはこれらの混紡がよい。合成繊維は繊維が単糸状態では１．４〜４．８Ｄ（デニール）の太さがよく、より好適なものとしては３Ｄの太さである。コード用繊条はこの３Ｄのの太さの繊維を３００〜４００本程度束ねて集合体とすることがよい。
また、手段４では、前モップベース布は複層に構成されることをその要旨とする。
複層とすることでモップ用コードの固定部分を外部に露出させないようにすることが可能となる。その結果、固定部分が劣化するのを防止できる。また、例えば複層とした場合に上側に露出させられる層にベース布固定手段を設けてベース布支持部側のベース布固定手段との間で連結させるようにしてもよい。
【考案の効果】
【０００８】
本出願の各請求項の考案では、経年モップとして使用してもモップ用コードがほどけにくく、モップ用コードの繊維同士が絡んでしまうような不具合が従来に比べて生じにくくなる。
【図面の簡単な説明】
【０００９】
【図１】本考案の実施の形態のモップの一部省略分解斜視図。
【図２】同じモップの一部省略部分断面図。
【図３】同じモップのコードの拡大正面図。
【図４】（ａ）及び（ｂ）は他の実施の形態のコードの一部省略部分断面図。
【考案を実施するための形態】
【００１０】
以下、本考案のモップの一実施例について図面に基づいて説明する。
図１に示すように、モップ１は基本的にモップ用クロス２と、モップ用クロス２を着脱可能に固定するフレーム３と、フレーム３に連結された柄４から構成されている。
図２に示すように、モップ用クロス２は多数のコード５が植設されたモップベース布６から構成されている。本実施の形態では縦方向に２０本、横方向に合計６０本のコード５が植設されている。これらコード５によって拭き取り部が形成されている。モップベース布６は縦約１４ｃｍ、横約４２ｃｍの長方形の外形形状をなし、厚み方向に３層構造とされている。モップベース布６はモップ１の使用時に上側に配置される第１の布６ａと、第１の布６ａの下側に配置されコード５が縫い込まれる第２の布６ｂと、第２の布６ｂの下側に配置され第２の布６ｂをカバーする第３の布６ｃから構成されている。モップベース布６の外周にはこれら３層の布６ａ〜６ｃの縁寄りを包囲するように補強布８が縫製によって取着されている。第１の布６ａの外面はベース布固定手段を構成する細かく密集してループ状に起毛された第１の貼着面９が形成されている。
図３に示すように、ポリエステル製のコード５はコード用繊条としての６本のマルチフィラメント７によっていわゆる金剛打ちといわれる組み紐の編み方によって約７ｃｍの長さに織り上げたものである。各マルチフィラメント７は３Ｄの太さの単糸を３００〜４００本程度束ねて撚糸せずに構成されている。図２に示すように、コード５はモップベース布６の第２の布６ｂに対して糸１０によって長さ方向において中央ではない位置で縫われて固定されている。コード５は粗めに織られた第３の布６ｃから外方に露出させられており、本実施の形態ではコード５は長足側５ａが約５ｃｍ、短足側５ｂが約１．５ｃｍの長さで植設されている。コード５の両端末の５〜７ｍｍ程度の長さは意図的に編み込みをせずに単糸（原繊維）によって房状に構成されている。
【００１１】
フレーム３はアルミ合金製の略モップベース布６の形状に対応した長方形形状の板体から構成されている。裏面（モップベース布６の第１の布６ａが対面する側）にはベース布固定手段を構成する細かなフック状に起毛された第２の貼着面１１が形成されている。第１の貼着面９と第２の貼着面１１によって面ファスナーが構成される。モップ用クロス２はフレーム３の裏面側にこの面ファスナーによって着脱自在とされている。フレーム３の上面中央位置には柄支持部材１２が取着されている。柄支持部材１２はフレーム３の長手方向に沿った軸方向となる第１の回動軸１３を備えている。柄嵌合部１５はその基端に形成された第２の回動軸１４によって第１の回動軸１３に対して連結されている。第２の回動軸１４の軸方向は第１の回動軸１３の軸方向に対して直交するように配置されている。そのため、柄支持部材１２は柄嵌合部１５に対して自在継ぎ手（ユニバーサルジョイント）として機能する。柄嵌合部１５には所定の長さの柄４が嵌合されている。
【００１２】
このような構成の実施の形態のモップ１では次のような効果が奏される。
（１）コード５はマルチフィラメント７のみで組み紐として編み上げられているため、経年使用しても容易にばらばらの繊維状態にほどけてしまうことがなく、ごく先端のみを房状に保つことができるため、コード５の繊維同士が絡んでしまうような不具合が生じにくい。
（２）コード５は長足側５ａと短足側５ｂで異なる長さとしているため、主として長足側５ａで水分の吸水や広範囲の水拭きを受け持ち、短足側５ｂで主としてしっかりと押しつけてこするように拭くことができるという２種類の機能で掃除することが可能となる。
（３）コード５はポリエステル製であるため黴にくく、水切れがよい。
（４）コード５を固定する糸１０が外部に露出しないので糸１０が劣化しにくい。
【００１３】
尚、この考案は、次のように変更して具体化することも可能である。
・上記ではコード５を長さ方向において中央ではない位置で固定するようにしていたが、図４（ａ）のように中央で固定しても、図４（ｂ）のようにコード５の両端を固定してループ状にするようにしてもよい。また、上記実施の形態も含めこれらのような固定方法で固定したコード５を混交させるようにしてもよい。
・モップ１の形状については上記は一例であり、他の形態で実施するようにしてももちろんよい。
・マルチフィラメント７を構成する原繊維として上記以外の太さや長さとしたり、他の合成繊維や綿を使用するようにしてもよい。
・マルチフィラメント７の数や組み紐とする際の編み方は上記以外でもよい。
・フレーム３へのモップ用クロス２の固定手段は上記のような面ファスナー以外の手段でもよい。
・植設されるコード５の数は上記以外の数に変更可能である。
・コード５の固定手段は上記以外の手段でもよい。
・その他、本考案の趣旨を逸脱しない態様で実施することは自由である。
【符号の説明】
【００１４】
１…モップ、３…ベース布支持部としてのフレーム、４…柄、５…モップ用コードとしてのコード、６…モップベース布、７…コード用繊条としてのマルチフィラメント、９…ベース布固定手段としての第１の貼着面、１１…ベース布固定手段としての第２の貼着面。
【図１】
0003198967.tif 000003
【図２】
0003198967.tif 000004
【図３】
0003198967.tif 000005
【図４】
0003198967.tif 000006
【手続補正書】
【提出日】平成27年5月20日(2015.5.20)
【手続補正１】
【補正対象書類名】図面
【補正対象項目名】図４
【補正方法】変更
【補正の内容】
【図４】
0003198967.tif 000007